(57)【要約】      （修正有）【課題】通り検査も、止まり検査も、容易に行えるねじ用限界ゲージを提供する。【解決手段】先端部から順に、通り側ねじ部１と止り側ねじ部２とを備え、通り側ねじ部及び止り側ねじ部が同じピッチで連続して構成され、止り側ねじ部のねじ長さが二回転分であることを特徴とするねじ用限界ゲージを用いる。さらに、通り側ねじ部と止り側ねじ部との間にテーパーねじ部を備え、通り側ねじ部、止り側ねじ部及びテーパーねじ部が同じピッチで連続して構成されている。止り側ねじ部及び／又はテーパーねじ部が通り側ねじ部と異なる色をもってもよい。さらに、止り側ねじ部の先端部と反対側にストッパー３を備える。【選択図】図１
2015064233.tif 000002
【特許請求の範囲】
【請求項１】
先端部から順に、通り側ねじ部と止り側ねじ部とを備え、
通り側ねじ部及び止り側ねじ部が同じピッチで連続して構成され、
止り側ねじ部のねじ長さが二回転分であることを特徴とするねじ用限界ゲージ。
【請求項２】
さらに、通り側ねじ部と止り側ねじ部との間にテーパーねじ部を備え、
通り側ねじ部、止り側ねじ部及びテーパーねじ部が同じピッチで連続して構成されている請求項１に記載のねじ用限界ゲージ。
【請求項３】
止り側ねじ部及び／又はテーパーねじ部が通り側ねじ部と異なる色をもつ請求項１又は２に記載のねじ用限界ゲージ。
【請求項４】
さらに、止り側ねじ部の先端部と反対側にストッパーを備えた請求項１〜３のいずれかに記載のねじ用限界ゲージ。
【請求項５】
めねじの検査用である請求項１〜４のいずれかに記載のねじ用限界ゲージ。
【請求項６】
さらに、トルク印加軸を備え、
トルク印加軸が通り側ねじ部及び止り側ねじ部と同じ回転軸をもち、通り側ねじ部及び止り側ねじ部の回転方向と逆回転方向でねじ止めされている請求項１〜５のいずれかに記載のねじ用限界ゲージ。
【発明の詳細な説明】
【技術分野】
【０００１】
本発明は、ねじ用限界ゲージに関する。
【背景技術】
【０００２】
従来、通り検査及び止まり検査のためのねじ用限界ゲージとして、その両端に通り検査用のねじ部及び止まり検査用のねじ部をもつ限界ゲージが使用されている（図２参照）が、作業効率の向上を目的として、「先端部から順次に通り検査用と止まり検査用との二種類の検査用ねじ山を同一ねじリード上に具えるとともに、前記二種類の検査用ねじ山のうち少なくとも先端部側の検査用ねじ山の挿入端部に、テーパーねじの呼び込み部と、その検査用ねじ山の稜線の延在方向へ向く側壁を有するねじ溝さらい用溝部とのうち少なくとも一方を具えてなる、ねじ検査具」が提案されている（特許文献１）。
【先行技術文献】
【特許文献】
【０００３】
【特許文献１】特開２００２−３９７０６号公報
【発明の概要】
【発明が解決しようとする課題】
【０００４】
特許文献１に記載されたねじ検査具では、通り検査用のねじ山がねじ込まれたかどうかは容易に判別できるが、止まり検査用のねじ山がねじ込まれたかどうかの判別が容易ではないという問題がある。
本発明の目的は、通り検査も、止まり検査も、容易に行えるねじ用限界ゲージを提供することである。
【課題を解決するための手段】
【０００５】
本発明のねじ用限界ゲージの特徴は、先端部から順に、通り側ねじ部と止り側ねじ部とを備え、
通り側ねじ部及び止り側ねじ部が同じピッチで連続して構成され、
止り側ねじ部のねじ長さが二回転分である点を要旨とする。
【発明の効果】
【０００６】
本発明のねじ用限界ゲージを用いると、通り検査も、止まり検査も、容易に行うことができる。
【図面の簡単な説明】
【０００７】
【図１】本発明のねじ用限界ゲージの一態様を模式的に示した側面図である。
【図２】通り側ねじ部及び止り側ねじ部を両端にもち、従来から広く販売されているねじ用限界ゲージを模式的に示した側面図である。
【発明を実施するための形態】
【０００８】
本発明のねじ用限界ゲージは、先端部から順に、通り側ねじ部と止り側ねじ部とを備え、通り側ねじ部及び止り側ねじ部が同じピッチで連続して構成されている。すなわち、検体（検査用ねじ）に対して、先端部からねじ込むことにより、通り検査及び止まり検査を一度に行うことができるものである。
【０００９】
通り側ねじ部のねじ長さは、検体のはめあい長さ（ボルト又はナットのねじ部長さ）の少なくとも８０％が好ましく、さらに好ましくは少なくとも９０％である。また、このねじ長さは検体のはめい長さの２０〜６０％（好ましくは３０〜５０％）程度であってもよい。
【００１０】
止り側ねじ部のねじ長さは、二回転分である。
【００１１】
通り側ねじ部及び止り側ねじ部は、テーラーの原理｛工作物（検体）の最大実体寸法はその工作物（検体）の最大実体寸法に正しく作られた通り側ゲージによって検査されなければならない。一方、工作物（検体）の最小実体寸法はその工作物（検体）の止り側ゲージによって検査されなければならないという原理である。｝に適合するように、ＪＩＳ規格（ＪＩＳ  Ｂ０２５１：２００８、ＪＩＳ  Ｂ０２５４：２０１１、ＪＩＳ  Ｂ０２５５：１９９８等）等に基づいて設計・調製される。
【００１２】
通り側ねじ部と止り側ねじ部との間には、特許文献１に記載されているような周方向溝部を設けず、通り側ねじ部と止り側ねじ部とは連続して同じピッチでねじが設けられている。
【００１３】
通り側ねじ部と止り側ねじ部との間には、テーパーねじ部を備えることができる。通り側ねじ部と止り側ねじ部との間にテーパーねじ部を備える場合、通り側ねじ部、止り側ねじ部及びテーパーねじ部が同じピッチで連続して構成されている。
【００１４】
止り側ねじ部及び／又はテーパーねじ部は、通り側ねじ部と異なる色をもっていてもよい。このように異なる色にすると、止り側ねじ部及び／又はテーパーねじ部と、通り側ねじ部との判別がより明確となり、通り検査及び止まり検査がさらに容易となる。
【００１５】
止り側ねじ部及び／又はテーパーねじ部と、通り側ねじ部とを異なる色とするには、（１）異なる色を有する材料でそれぞれを形成する方法（ただし、熱膨張係数が同じ程度の材料を選択する。）、（２）いずれかのねじ部を表面処理する方法、（３）それぞれ、異なる材料を用いてねじ部を表面処理する方法等が適用できる。これらのうち、製造しやすさの観点から、（２）及び（３）による方法が好ましい。
【００１６】
表面処理する方法としては、電気メッキ又は化学蒸着（ＣＶＤ；Chemical Vaper Deposition）によるメッキ等が適用できる。これらのうち、容易に高い硬度を表面に付与できるという観点から、化学蒸着（ＣＶＤ）による方法が好ましい。
【００１７】
電気メッキとして、クロムメッキ又はニッケルメッキ等により、金属光沢（銀白色）及びより硬い表面を付与できる。
【００１８】
化学蒸着（ＣＶＤ）によって得られるメッキとしては、ＴｉＣ（炭化チタン：黒色）、ＴｉＮ（窒化チタン：黄金色）、ＮｂＢ６（六ホウ化ニオブ：青色）、ＺｒＮ（窒化ジルコニウム：黄色）、ＴａＣ（炭化タンタル：金褐色）、ＨｆＮ（窒化ハフニウム：黄褐色）、ＴｉＯ２（酸化チタン：黄色）、ＴｉＯ２＋Ｃｒ２Ｏ３（酸化チタン及び少量の三酸化ニクロム：赤灯色）、Ａｌ２Ｏ３＋Ｃｒ２Ｏ３（酸化アルミニウム及び少量の三酸化ニクロム：紅色〜桃色）、Ａｌ２Ｏ３＋Ｖ２Ｏ３（酸化アルミニウム及び少量の三酸化バナジウム：青紫色）及びＡｌ２Ｏ３＋ＭｇＯ＋ＣｏＯ（酸化アルミニウム、少量の酸化マグネシウム及び少量の一酸化コバルト：青空色）等が挙げられる。
【００１９】
本発明のねじ用限界ゲージは、さらに、止り側ねじ部の先端部と反対側にストッパーを備えることができる（図１参照）。ストッパーを備えると、止まり検査がさらに容易となる。ストッパーとしては、止まり側ネジ部がさらにねじ込まれないように構成されていれば形状や大きさに制限はない。すなわち、止り側ねじ部のねじ長さが二回転分を越えてねじ込まれなければ、ストッパーとしては、図１のような円柱形状でなくても、回転軸に対して垂直に設けたピン（針状体、突起体等）等であってもよい。
【００２０】
本発明のねじ用限界ゲージは、おねじ又はめねじについて、許容限界寸法内にあるねじとそうでないものとを区別するために用いられるが、めねじの検査用であることが好ましい。なお、めねじの検査用として、図１に、本発明のねじ用限界ゲージ（プラグゲージ）の一態様を模式的に示した。おねじ検査用としては、プラグゲージをドーナツ状のリングゲージに変更して、先端部から順に、通り側ねじ部と止り側ねじ部とを備え、通り側ねじ部及び止り側ねじ部が同じピッチで連続して構成され、止り側ねじ部のねじ長さが二回転分に構成する。
【００２１】
本発明のねじ用限界ゲージは、さらに、トルク印加軸を備えてもよい。
トルク印加軸は、通り側ねじ部及び止り側ねじ部と同じ回転軸をもち、通り側ねじ部及び止り側ねじ部の回転方向と逆回転方向でねじ止めされていることが好ましい。
【００２２】
本発明のねじ用限界ゲージは、メートルねじ、ユニファイねじ、ウイットねじ、ミシンねじ、自転車ねじ、電線管ねじ、管用平行ねじ及び台形ねじ等に適用できる。
【符号の説明】
【００２３】
１  通り側ねじ部
２  止り側ねじ部
３  ストッパー
４  トルク印加軸
【図１】
2015064233.tif 000003
【図２】
2015064233.tif 000004